(57)【要約】【課題】遊技盤と遊技者との間に介在する透明板にてもパチンコ遊技機の装飾性を高めること。【解決手段】パチンコ遊技機１０の透光性樹脂板４１は、透明な樹脂原料（ポリカーボネート）に顔料又は染料を添加して透光性に着色したもので射出成形されている。透光性樹脂板４１の着色は、これを透かして遊技領域５３を十分に視認可能な低濃度（淡色）の着色である。遊技者は着色された透光性樹脂板４１を透かして遊技領域５３を見ることになるから、例えば遊技盤５０のセル画と透光性樹脂板４１の色との相互作用で装飾効果を高めることができる。【選択図】  図３
2004230029.tif 000002
【特許請求の範囲】
【請求項１】
遊技盤と対面配置されて自身と前記遊技盤との間に遊技領域となる空間を形成する盤側透明板と、該盤側透明板の前記遊技盤とは反対側に配置される客側透明板とを備えるパチンコ遊技機において、
前記盤側透明板又は前記客側透明板に着色したことを特徴とするパチンコ遊技機。
【請求項２】
請求項１記載のパチンコ遊技機において、
前記盤側透明板又は前記客側透明板の前記遊技領域に対面する部分は、その全域が着色されていることを特徴とするパチンコ遊技機。
【請求項３】
請求項１又は２記載のパチンコ遊技機において、
前記盤側透明板のみに着色したことを特徴とするパチンコ遊技機。
【請求項４】
請求項１又は２記載のパチンコ遊技機において、
前記客側透明板のみに着色したことを特徴とするパチンコ遊技機。
【請求項５】
パチンコ遊技機の本体に軸支されて扉状に開閉可能で、閉鎖状態において該パチンコ遊技機の遊技盤を臨ませるための窓を有する窓扉において、
合成樹脂製で、前記窓を閉鎖する客側透明板とその外側の窓枠部分とが一体成形され、前記客側透明板には着色されている板状構造体を備えたことを特徴とするパチンコ遊技機の窓扉。
【請求項６】
請求項５記載のパチンコ遊技機の窓扉において、
該窓扉は、前記客側透明板の背後側にて前記窓を閉鎖する状態で配されて前記窓扉の閉鎖時には前記遊技盤と対面して自身と前記遊技盤との間に遊技領域となる空間を形成する盤側透明板を支持することを特徴とするパチンコ遊技機の窓扉。
【請求項７】
請求項５又は６記載のパチンコ遊技機の窓扉において、
前記板状構造体の横幅、高さは該窓扉の横幅、高さとそれぞれ整合することを特徴とするパチンコ遊技機の窓扉。
【請求項８】
請求項５から７のいずれか１項に記載のパチンコ遊技機の窓扉において、
前記窓扉は、前記板状構造体と、前記窓枠部分の背面側に接合された背後部材とを含んで構成されていることを特徴とするパチンコ遊技機の窓扉。
【発明の詳細な説明】
【０００１】
【発明の属する技術分野】
本発明は、パチンコ遊技機の技術分野に属する。
【０００２】
【従来の技術】
パチンコ遊技機においては、遊技盤の前方に平板状の透明板（多くはガラス板）が配されて、その透明板と遊技盤との間に遊技領域となる空間が形成される。遊技領域には入賞装置や遊技釘、風車等が配置され、発射装置にて発射されて遊技領域に撃ち込まれた遊技球の挙動によって遊技が行われ、入賞等が成立すれば遊技球（賞球）が払い出されるのが普通である。
【０００３】
従って、遊技の実行だけなら透明板（ガラス板）は１枚だけでよいのだが、主に不正行為に対する耐性を高めるために、さらにもう１枚の透明板（これも多くはガラス板）を外側（遊技者側）に配していた。
ところで、遊技者が注視する遊技盤の表面にはいわゆるセル画が施され、また入賞装置等にもさまざまな装飾が施されているが、それらと遊技者との間に介在する透明板は単なる透明なガラス板等であり装飾性とは無縁であった。
【０００４】
なお、遊技者側の透明板を立体状にして枠体のデザインと釣り合わせることで装飾性を高めようとする発明は提案されている（特開２００１−２５９１９４号公報）。
【０００５】
【特許文献１】
特開２００１−２５９１９４号公報
【０００６】
【発明が解決しようとする課題】
本発明は遊技盤と遊技者との間に介在する透明板にてもパチンコ遊技機の装飾性を高めることを目的としている。
【０００７】
【課題を解決するための手段及び発明の効果】
請求項１記載のパチンコ遊技機は、遊技盤と対面配置されて自身と前記遊技盤との間に遊技領域となる空間を形成する盤側透明板と、該盤側透明板の前記遊技盤とは反対側に配置される客側透明板とを備えるパチンコ遊技機において、前記盤側透明板又は前記客側透明板に着色したので、例えば遊技盤のセル画と盤側透明板又は客側透明板の色との相互作用で装飾効果を高めることができる。
【０００８】
言うまでもないことではあるが、盤側透明板又は客側透明板の着色は透光性であること（これを透かして遊技領域を十分に視認できること）が必須である。したがって、着色濃度は遊技領域を十分に視認できる程度に抑える必要がある。具体的な着色濃度は、例えば遊技盤のセル画の色合いや照明の明るさ等によっても異なってくるので、一律には決められない。よって、実験等で適切な着色濃度を決めるのが望ましい。
【０００９】
また、遊技領域に対面する部分（これを透かして遊技領域を見る部分）で複数の色が混在するのは、遊技領域の視認性を妨げるおそれがあって好ましくないから、この部分の着色は一色とするのがよい。
盤側透明板又は客側透明板への着色は、例えばコーティング、着色したフィルムの貼着等で行える。また、顔料や染料を混ぜ込んだ原材料を用いて盤側透明板又は客側透明板を製造することで着色することもできる。着色される盤側透明板又は客側透明板がガラス製のときはコーティング又はフィルムの貼着が簡便である。合成樹脂製とするならコーティング、フィルムの貼着、顔料又は染料の混入のどれでも良好に採用できる。
【００１０】
盤側透明板又は客側透明板の一部の領域だけに着色してもよいが、少なくとも遊技領域に対面する部分は、着色ありか無しかに統一する方がよい。
つまり、請求項２記載のように、前記盤側透明板又は前記客側透明板の前記遊技領域に対面する部分は、その全域が着色されている構成とするか、逆に前記盤側透明板又は前記客側透明板の前記遊技領域に対面する部分には着色されていない構成とするのが望ましい。具体的には、図７（ａ）に示すように、盤側透明板又は客側透明板の全域に着色したり、図７（ｂ）に示すように遊技盤５０の遊技領域５３に対面する円形又は楕円形の部分のみ着色したり、図７（ｃ）に示すように遊技領域５３に対面する部分を除いて着色するとよい。また、盤側透明板と客側透明板の一方を図７（ｂ）に示すように着色し、他方を図７（ｃ）に示すように着色してもよい。この場合、互いの色を異ならせるとよい。
【００１１】
請求項２の構成（図７（ａ）又は（ｂ））とすれば、遊技領域の手前側に透光性の着色域が介在するので例えば遊技盤のセル画と着色域との相互作用で装飾効果を高めることができる。
一方、盤側透明板又は客側透明板の遊技領域に対面する部分には着色しない構成（図７（ｃ））、すなわち遊技領域と重ならない部分だけに着色する場合には、必ずしも透光性にしなくてもよいし、また複数色が混在していてもよいので、より自由度の高い着色によって装飾性を高めることができる。
【００１２】
盤側透明板と客側透明板の双方に着色してもよいが、例えば両方の遊技領域と重なる部分に着色した場合には、着色部分が重なって濃くなりすぎるおそれがある。また、通常は一方だけに着色すれば十分でもある。
従って、請求項３記載のように前記盤側透明板のみに着色するか、請求項４記載のように前記客側透明板のみに着色する構成とすれば十分である。
【００１３】
盤側透明板は遊技球との接触、衝突が頻繁に起こるから、擦過による損傷などが生じにくく、また表面が硬くて滑りやすいガラス板にするのが望ましい。
またガラス板は、遊技領域を流下する遊技球の衝突圧などによってたわむおそれがない。盤側透明板がたわむと遊技球がこの透明板と釘との間に噛み込んで落下できなくなるおそれがあるが、ガラス板であるとそのような不具合が発生するおそれがない。
【００１４】
さらに、ガラス板は遊技球との接触に伴って静電気が発生したり蓄積されにくいから、静電気によって吸着されたほこり等で汚れる心配もない。
このガラス板の盤側透明板にコーティングやフィルムの貼着にて着色する場合には、遊技球と接触しない面（客側透明板側の面）に着色処理するのが望ましい。
【００１５】
客側透明板に着色する場合には、請求項５〜８に記載の窓扉を採用することができる。
請求項５記載の窓扉は、パチンコ遊技機の本体に軸支されて扉状に開閉可能で、閉鎖状態において該パチンコ遊技機の遊技盤を臨ませるための窓を有する窓扉において、合成樹脂製で、前記窓を閉鎖する客側透明板とその外側の窓枠部分とが一体成形され、前記客側透明板には着色されている板状構造体を備えたことを特徴とする。
【００１６】
この窓扉は、遊技盤を臨ませるための窓を閉鎖する客側透明板とその窓枠部分とが一体成形された合成樹脂製の板状構造体を備えている。すなわち、遊技盤の前方に配される２枚の透明板の内の遊技者側になる客側透明板は、板状構造体の一体不可分の一部になっており、また窓扉の不可分の一部でもある。
【００１７】
したがって、客側透明板については、これを窓扉に装着するためのガラスレールのような構造は必要なく、その分部品点数が減り、構成も単純化され、組み立て工程も単純化できる。
また、遊技者に対面する客側透明板を合成樹脂製としたので、これを例えば遊技者側に膨らんだドーム状にしたり例えば図柄表示装置等の重要部分に対面する中央部を平板状にして周囲をテーパ状にするなど、パチンコ遊技機の枠体の多様なデザインと釣り合わせたさまざまなデザインが可能になる。また、客側透明板の外形すなわち窓の形状も従来の四角形や円形に限らず、さまざまな形状にできるから、この点でもパチンコ遊技機の枠体の多様なデザインと釣り合わせたさまざまなデザインが可能になる。
【００１８】
しかも、客側透明板が合成樹脂製であるから、例えば遊技者に叩かれた程度では破損しないような強度の合成樹脂材料を使用して破損を防止できる。また、たとえ割られても危険な破片が飛び散るおそれはないから、安全性が高い。このような高強度の樹脂材料で入手しやすいものにポリカーボネートがある。
【００１９】
板状構造体は、射出成形、射出圧縮成形等の公知の成形技術によって製造できる。
客側透明板を着色透光性にする必要上、射出成形等で使用する樹脂原料は透明なもの（成形後にコーティング等で着色）又は顔料や染料で透光性に着色したものが使われる。すると、なにも手立てしなければ窓枠部分も透光性になってしまうが、例えばインモールド成形等を用いて射出成形時に表面に着色したり、成形後に塗装すれば、窓枠部分を不透明にできる。なお、透光性のままでもパチンコ遊技機の機能を損なうわけではないので、例えばデザイン上の効果を狙って、客側透明板以外の部分の一部又は全部を透光性のままにしてもよい。
【００２０】
板状構造体の一部となる客側透明板は合成樹脂製であるから、従来のガラス板よりも軽量化される。したがって、板状構造体としての重量もあまり大きくはならず取り扱いは容易である。
また、板状構造体は、従来は開口になっていた窓部分が客側透明板にて閉じられた板状の部材であるから、従来の窓穴を有する構造と比べれば剛性がきわめて高く強度的にも優れている。
【００２１】
したがって、請求項７に記載のように、板状構造体の横幅及び高さを窓扉の横幅、高さとそれぞれ整合させれば、これにパチンコ遊技機の本体に軸支するためのヒンジ軸又はヒンジ軸受を設けて、また閉鎖状態にてロックするための金具等も取り付けて、板状構造体をそのままで窓扉にできる。
【００２２】
ただし、請求項８記載の構成とすることもあるので、板状構造体の横幅及び高さを窓扉の横幅、高さとそれぞれ整合させるといっても、数学的に等しくすることまでを要さず、例えば背後部材を板状構造体の外側にはみ出させて、そのはみ出し分までが窓扉の横幅又は高さと等しくなる場合や、板状構造体の外周を縁取る部材等を備えて、その縁取りまでが窓扉の横幅又は高さと等しくなる場合も許容される。
【００２３】
なお、窓扉の横幅はパチンコ遊技機の横幅とほぼ等しく、高さはパチンコ遊技機の上皿（上皿扉）よりも上側部分の高さとほぼ等しくするとよい。このような寸法にすれば、上皿（上皿扉）よりも上側部分のほぼ全域を窓扉で覆い（閉鎖時）、また露出させる（開放時）ことができる。
【００２４】
板状構造体だけでは窓扉として強度不足になりそうなときには、また前後２部分に分けた方が射出成形等を行い易い場合には、請求項８記載の構成を採用すればよい。
請求項８記載のパチンコ遊技機の窓扉は、請求項５から７のいずれか１項に記載のパチンコ遊技機の窓扉において、前記窓扉は、前記板状構造体と、前記窓枠部分の背面側に接合された背後部材とを含んで構成されていることを特徴とするので、強度不足に対処できるし、射出成形等も行い易くなる。
【００２５】
板状構造体には、ＬＥＤや電球のカバー部材（いわゆるレンズ）、スピーカーカバー、シール類などの装飾部材を取り付けることができる。
また、窓扉は、請求項６に記載のように、客側透明板の背後側にて窓を閉鎖する状態で配されて窓扉の閉鎖時には遊技盤と対面して自身と遊技盤との間に遊技領域となる空間を形成する盤側透明板を支持する構成が望ましい。
【００２６】
その場合、従来のガラスレールのような部材を介して盤側透明板を支持する構成としてもよいが、それでは構造の単純化の点で効果が薄い。
この点については、盤側透明板を窓扉に接着する構造にして例えばガラスレールやボルト等の連結用の部材を不要にすれば、構造がより単純化されるし、連結用の穴や爪等を設ける必要がなくなり、窓扉の構造が複雑化しない。また、穴等を設けることは強度低下になるが、これも回避できる。
【００２７】
ただし、接着してしまうと盤側透明板のみの交換ができなくなるので、この点だけならガラスレールのような部材を用いる方がよいと言える。しかし、常時は内側になっている盤側透明板であるから、これが破損する可能性はきわめて小さいと言えるので、上記のように接着しても差し支えない。
【００２８】
しかも、盤側透明板を接着することで、客側透明板と盤側透明板で挟まれる空間を密封すれば、この空間にほこりやたばこの煙等が入り込んで透明板の内面を汚すのを防止できる。
盤側透明板は客側透明板と同様に合成樹脂製としてもよいが、これをガラス板にすれば上述したとおりのメリットがある。
【００２９】
一方、客側透明板は遊技者に対面するので、例えば硬貨のようなもので擦られるおそれがある。これに対しては、例えばメラミン樹脂やシリコン樹脂による耐擦傷性のコーティングを施すことで、硬貨のようなもので擦られても傷が付かない程度に表面を強化できる。
【００３０】
【発明の実施の形態】
次に、本発明のいくつかの実施例により発明の実施の形態を説明する。
【００３１】
【実施例１】
図１に示すように、パチンコ遊技機１０はプラスチック製の本体枠１２、上下一対のヒンジ１４、１５により本体枠１２に蝶着されているプラスチック製の中枠１６を備えており、これら本体枠１２及び中枠１６にて各部を支持する構造である。なお、図示はしないが、パチンコ遊技機１０の横に周知のカードリーダユニット（ＣＲユニット）が取付けられる場合がある。
【００３２】
中枠１６には窓枠体２２、皿ユニット２４及び下部ユニット２６が取り付けられている。また、下部ユニット２６の下方には本体枠１２に固着された幕板２８が配されている。
窓枠体２２は、上ヒンジ１４と中ヒンジ１７とによって軸支されて扉状に開閉可能に中枠１６に保持されている。通常は、窓枠体２２は中枠１６に装着された錠装置２３にて中枠１６にロックされており、中枠１６自身も錠装置２３によって本体枠１２にロックされている。錠装置２３を例えば時計回りに開錠操作すれば窓枠体２２を開放でき、これを反時計回りに開錠操作すれば中枠１６を開放できる。窓枠体２２は、ヒンジ軸等、ごく一部の金属製部品を除いて、全てプラスチック製である。
【００３３】
窓枠体２２の背後には、中枠１６に保持された遊技盤５０（図３参照）が配されており、窓枠体２２を閉じた状態では遊技盤５０の全域が覆われ開けば遊技盤５０を露出させることができる。
皿ユニット２４は、発射装置に供給するための遊技球を貯留し、また賞球として払い出された遊技球を受け容れる受皿３０と、これを支持する扉板３１とからなっている。また、扉板３１には、パチンコ遊技機１０の本体部から賞球又は貸球として払い出される遊技球を受皿３０に導入するための導入樋３４が設けられている。
【００３４】
扉板３１は、中ヒンジ１７と下部ユニット２６との境界部に配されたヒンジ（図示されない）とによって軸支されることで中枠１６に保持されているので、皿ユニット２４を中枠１６に対して扉状に開閉可能である。なお、皿ユニット２４のための錠機構は無く、皿ユニット２４は窓枠体２２を開放しなければ開放できない構造であり、窓枠体２２を介して施錠される。
【００３５】
受皿３０の上部の前縁部には、ＣＲユニットに挿入したプリペイドカードによる遊技球の貸出を要求するための貸出ボタン、プリペイドカードの排出を要求するための精算ボタン、プリペイドカードの残高を表示するための残高表示器が装着されている。
【００３６】
受皿３０の内部には、遊技球を外部に排出するための球抜き通路（図示は省略、排出口は受皿３０の最下部に開口している。）が設けられており、受皿３０の上面と扉板３１の上隅部とに球抜き通路を開閉するための球抜き操作部３２、３３が設けられている。球抜き操作部３２を開放操作すると、受皿３０から発射装置に向かう遊技球を１列で誘導する供給経路の末端部分と球抜き通路とが連通し、受皿３０の遊技球が供給経路から球抜き通路に流入して排出される。一方、球抜き操作部３３を開放操作すると、扉板３１を貫通している導入樋３４の床部分が開放されて導入樋３４と球抜き通路とが連通し、導入樋３４から上流（本体部側）に貯まっていた遊技球が球抜き通路に流入して排出される。
【００３７】
皿ユニット２４も、ヒンジ軸等、ごく一部の金属製部品を除いて、全てプラスチック製である。
下部ユニット２６には灰皿３５と発射ハンドル３６が装着されている。下部ユニット２６は全てプラスチック製である。
【００３８】
図２に示すように、窓枠体２２には円形の窓４０が設けられ、そこにはプラスチック製の透光性樹脂板４１（客側透明板に該当）がはめ込まれている。透光性樹脂板４１の中央部は平坦な平面部４２であり、その左右は円錐の側面状の傾斜面４３となっている。また、外周部分４４は窓４０の内周に密着する筒状であり、その端部には位置決め及び針金等の挿入防止を目的としたフランジ４５が設けられている。このため、透光性樹脂板４１と窓４０の隙間から針金等を挿し込むことはできない。
【００３９】
透光性樹脂板４１は、図２（ｃ）に良好に示されるとおり、平面部４２が他の部分よりも遊技者側に突出した３次元形状である。
また透光性樹脂板４１の背後には盤側透明板に該当するガラス板４６が配され、窓枠体２２に保持されている。このガラス板４６は通常の透明なガラスである。
【００４０】
遊技盤５０の構造は図３に示すとおりである。
遊技盤５０にはガイドレール５１、５２が取り付けられており、これらによって囲まれる略円形の領域が遊技領域５３となる。
遊技領域５３の中央部には、上部に普通入賞口５４を、下部に図柄表示装置５５（表示部は３個の７セグメントＬＥＤ）を備えるセンター役物５６が取り付けられており、その下方には始動ゲート５７が配されている。始動ゲート５７の下方には電動チューリップである始動入賞装置５８が配され、その下方には大入賞口５９を備える大入賞装置６０（図示は大入賞口５９が開放された状態）が配されている。
【００４１】
センター役物５６の横には、ランプ風車６１及び普通入賞口６２がそれぞれ左右で対をなして配されている。また、普通入賞口６２の下方には、サイド飾り６３と一体化された普通入賞口６４、６５がそれぞれ左右で対をなして配されている。
【００４２】
そして、遊技領域５３の最下部には、遊技領域５３を通過してきた遊技球をアウト球として排出するためのアウト穴６６が設けられている。
なお、遊技領域５３には周知の障害釘や風車も配されており、遊技盤５０には装飾画が印刷されたセルが貼り付けられているが、これらの図示と説明は省略する。
【００４３】
このパチンコ遊技機１０においては、遊技球が始動ゲート５７を通過すると抽選処理が行われ、その抽選が当たりであると始動入賞装置５８が開放される。開放された始動入賞装置５８は開放時間が設定値に達するか設定個数の入賞があると閉鎖される。なお、始動入賞装置５８が閉鎖されていてもこれに入賞可能である。
【００４４】
始動入賞装置５８に入賞すると、いわゆる保留満杯のときを除いて大当たり抽選が行われ、図柄表示装置５５にては図柄の変動表示後に大当たり抽選の結果を示す図柄が確定表示される。大当たり抽選が当たりであると、例えば７７７のように３図柄が揃った態様の大当たり図柄が確定表示され、これが外れであると３図柄が揃わない態様の外れ図柄（例えば７７１、３５９等）が確定表示される。そして、大当たり抽選が当たりであれば、大当たり図柄の確定表示を待ってから特別遊技が開始され大入賞口５９が上限回数例えば１６ラウンドまで開放される。
【００４５】
また、始動入賞装置５８、大入賞口５９、普通入賞口６２、６４、６５に入賞すれば、各入賞口に対応する個数の賞球が払い出される。
上述したように、窓枠体２２を閉じた際には遊技盤５０の前面側を覆うが、このときに遊技領域５３の手前（遊技者）側の限界がガラス板４６によって規定される。また、ガラス板４６と遊技者の間には透光性樹脂板４１が位置する。
【００４６】
透光性樹脂板４１の外周は、図３に２点鎖線で示すとおり、ガイドレール５１、５２に沿っており（遊技領域５３の輪郭にほぼ対応しており）、窓枠体２２を閉じた際には遊技領域５３のほぼ全域を覆う。そして、中央の平面部４２によって覆われる部分には、センター役物５６（普通入賞口５４及び図柄表示装置５５）、普通入賞口６２、始動ゲート５７、始動入賞装置５８、大入賞装置６０及び普通入賞口６４、６５が配されている。
【００４７】
すなわち、平面部４２は、パチンコ遊技に必須の要素である入賞口の全てが含まれる領域を覆っており、それらの中には特別遊技（いわゆる大当たり遊技）において開放される大入賞口５９も、そこへの入賞が特別遊技の実行、不実行を決めるための大当たり抽選処理の開始に必須となる始動入賞装置５８も含まれている。
【００４８】
大入賞口５９は特別遊技（いわゆる大当たり遊技）において開放されるので、重要な入賞口であり特別遊技の実行時には遊技者が大いに注目する部分である。一方、始動入賞装置５８は、そこへの入賞が特別遊技の実行、不実行を決めるための大当たり抽選処理の開始に必須であるから、特別遊技の実行前の状態で遊技者が大いに注目する部分である。
【００４９】
また、これら大入賞口５９及び始動入賞装置５８は上記のように重要な入賞口（入賞装置）であるから、その周辺での遊技球の挙動、特にこれらに向かって流下する遊技球の挙動は遊技者にとって重要であり、注目する。
これら大入賞口５９に対面する部分及び始動入賞装置５８に対面する平面部４２部分が一連の平面状とされていて、光の屈折に伴う虹状の発色が生じないから視認性が良く、大入賞口５９及び始動入賞装置５８のみでなく、これらへの球筋、これらの周辺での遊技球の挙動、入賞の有無等を遊技者が確実に視認できる。
【００５０】
言うまでもないが、大入賞口５９及び始動入賞装置５８だけでなく普通入賞口５４、６２、６４、６５についても入賞の有無を遊技者が確実に視認でき、各入賞口５４、６２、６４、６５への球筋、その周辺での遊技球の挙動等も視認できる。
【００５１】
また、始動入賞装置５８を開放動作させるきっかけとなる始動ゲート５７も透光性樹脂板４１の平面部４２によって覆われる部分に含まれているので、始動ゲート５７のみでなく、これへの球筋、これの周辺での遊技球の挙動、通過の有無等を遊技者が確実に視認できる。
【００５２】
さらに、特別遊技の開始に先立って、これが実行されることを大当たり図柄で表示する図柄表示装置５５も透光性樹脂板４１の平面部４２によって覆われる部分に含まれている。図柄表示装置５５の表示部は大当たり図柄の表示に用いられるので、遊技者が最も注目する部分であり、この表示部の視認性が透光性樹脂板４１（平面部４２）によって損なわれないから、遊技者が不快を感じるおそれがない。また、遊技上で最重要と言っても過言ではない図柄が虹状の発色で誤認識されるおそれもない。
【００５３】
そして、本実施例のパチンコ遊技機１０においては、透光性樹脂板４１は、透明な樹脂原料（例えばポリカーボネート）に顔料又は染料を添加して透光性に着色したもので射出成形されている。透光性樹脂板４１の着色は、これを透かして遊技領域５３を十分に視認可能な低濃度（淡色）の着色である。
【００５４】
遊技者は着色された透光性樹脂板４１を透かして遊技領域５３を見ることになるから、例えば遊技盤５０のセル画と透光性樹脂板４１の色との相互作用で装飾効果を高めることができる。
また、透光性樹脂板４１の遊技者側の表面には、メラミン樹脂の耐擦傷性のコーティングが施されている。このため、遊技者のいたずら等で透光性樹脂板４１が傷付けられる心配はない。なお、耐擦傷性のコーティングはきわめて薄い膜状であり、透光性樹脂板４１の透過率には影響しない。
【００５５】
しかも、透光性樹脂板４１はポリカーボネート製であるから、例えば遊技者に叩かれた程度では破損しない。また、たとえ割られても危険な破片が飛び散るおそれはないから、安全性が高い。
さらに、透光性樹脂板４１の中央部を平面部４２としているので、遊技領域５３の中央部の視認性が例えば虹色の発色などで損なわれることがなく、視認性は良好である。このため視認性の低下が原因となって遊技者が不快を感じるおそれはない。
【００５６】
しかも、透光性樹脂板４１は、平面部４２が他の部分よりも遊技者側に突出した３次元形状であるから、パチンコ遊技機１０のデザインを立体的にできる。
【００５７】
【実施例２】
図４に示すように、パチンコ遊技機１００は正面から見た形状が長方形の外枠１１２を備えている。外枠１１２は公知のパチンコ遊技機のものと同様であり、その内側に各種の機構を収容している。それらの機構もまた公知のパチンコ遊技機のものと同様であるので、図示と説明は省略する。
【００５８】
外枠１１２には、上下のヒンジ１１３を介して中枠１１４が取り付けられている。中枠１１４はヒンジ１１３を軸として扉状に開閉可能であるが、通常は図示するように閉じられている。
その中枠１１４の前面側の上半部には、遊技盤５０（実施例１と同様であるから図示と説明は省略）を臨ませる窓１２２を有する窓扉１１５が、軸支手段であるヒンジ１１６ａ、１１６ｂを介して扉状に開閉可能に取り付けられ、その下方にては上皿１１７ａを備える上皿扉１１７がヒンジ１１６ｂ、１１６ｃを介して扉状に開閉可能に取り付けられている。これらも通常は図示するように中枠１１４の前面側に閉じられている。
【００５９】
さらに、上皿扉１１７の下方にては下皿１１８及び灰皿１１９が、下皿パネル１２０を介して中枠１１４の前面側に取り付けられている。下皿パネル１２０は中枠１１４に固着（一体化）されている。また、下皿１１８の右側には発射ハンドル１２１が取り付けられている。
【００６０】
これら上皿扉１１７（上皿１１７ａ）、下皿１１８、灰皿１１９及び発射ハンドル１２１は、デザイン的な差異を除けば公知のパチンコ遊技機に装備されているものと変わるところはない。
窓扉１１５に設けられた円形の窓１２２のサイズは遊技盤５０に形成された遊技領域５３（図３参照）とほぼ等しく、図４に示す状態のときには、中枠１１４によって保持されている遊技盤５０の遊技領域５３とほぼ重なる（図３に２点鎖線で示した透光性樹脂板４１の外周と同様である）。
【００６１】
この窓１２２は客側透明板に該当する透光性樹脂板１２６によって閉鎖されているが、透光性樹脂板１２６と窓枠部分となる周縁部１２３とは一連、一体の部材で、それぞれ板状構造体１２７の一部である。ただし、透光性樹脂板１２６は透光性に着色されており、これを透かして遊技盤５０を見ることができる。周縁部１２３も透光性樹脂板１２６と同様に着色されているが、周縁部１２３の表面には装飾用の模様等の着色層１２３ａが設けられており、周縁部１２３は不透明である。また、周縁部１２３には電飾のレンズ１３１、１３２（装飾部材）が装着されており、それらの背後には発光源となるＬＥＤや電球等が配されている。
【００６２】
窓扉１１５の横幅は、パチンコ遊技機１００の横幅とほぼ等しく、高さはパチンコ遊技機１００の上皿扉１１７よりも上側部分の高さとほぼ等しく、図４に示すように窓扉１１５を閉じた状態では上皿扉１１７よりも上側部分のほぼ全域を覆うが、窓扉１１５を開ければその部分の全域がほぼ露出する。
【００６３】
中枠１１４の前面には錠機構１３３が設けられており、窓扉１１５は通常はロックされていて開放できない。しかし。錠機構１３３を図示しない鍵にて操作して解錠すれば、窓扉１１５を開放できる。また、窓扉１１５を開放すると上皿扉１１７も開放可能になる。
【００６４】
次に図５を参照して窓扉１１５の構造を説明する。
図５（ａ）に示すように、周縁部１２３及び透光性樹脂板１２６は一連、一体で板状構造体１２７を構成しており、透光性樹脂板１２６の背後には周縁部１２３によって囲まれた窓１２２が設けられている。また、周縁部１２３の表面には前述の着色層１２３ａが設けられており、レンズ１３１、１３２（レンズ１３１は図５には示されない。）の背後には、発光源を収容するための空間１３２ａが確保されている。
【００６５】
窓１２２の後端部には段差状の嵌合部１２５が設けられ、盤側透明板に該当するガラス板１２９がここに嵌合されて密着状に接着されている。このため、透光性樹脂板１２６とガラス板１２９とで挟まれた内部空間１３４は密封状態となっている。なお、透光性樹脂板１２６及びガラス板１２９は共に平板状で互いに平行に配されている。
【００６６】
窓１２２の背後側を閉じているガラス板１２９は、図４に示す状態のときに遊技盤とほぼ平行（間隔は約２０ｍｍ）となってその前面側を覆い、遊技盤５０から窓扉１１５側への遊技球の飛び出しを防止する。つまり、遊技領域５３の前後方向寸法（奥行き）を規定する。
【００６７】
板状構造体１２７は、透明なポリカーボネートに顔料又は染料で透光性に着色したものの射出成形により一体成形されている。その射出成形に際して、着色層１２３ａに対応する印刷が施された合成樹脂フィルムをインモールドすることで、その印刷部分を成形樹脂（ここでは周縁部１２３）に転写して着色層１２３ａを形成している。
【００６８】
なお、透光性樹脂板１２６に歪みが生じて光学的な性能が低下する場合には、射出圧縮成形を採用すればよい。射出圧縮成形であると成形圧が全体でほぼ均等になり、歪みが低減され、また反りやヒケもなく寸法精度が良好である。特に、透光性樹脂板１２６の光学的な性状がその全面でほぼ均質になるので遊技領域の視認性が悪化するおそれはない。
【００６９】
また、成形後に透光性樹脂板１２６の表面（遊技者に対面する面）にはメラミン樹脂の耐擦傷性のコーティングを施している。このため、遊技者のいたずら等で透光性樹脂板１２６が傷付けられる心配はない。
しかも、透光性樹脂板１２６がポリカーボネート製であるから、例えば遊技者に叩かれた程度では破損しない。また、たとえ割られても危険な破片が飛び散るおそれはないから、安全性が高い。
【００７０】
本実施例の窓扉１１５では、透光性樹脂板１２６（板状構造体１２７）が、透明なポリカーボネートに顔料又は染料を添加して透光性に着色したもので射出成形されていて、透光性樹脂板１２６の着色は、これを透かして遊技領域５３を十分に視認可能な低濃度（淡色）の着色である。このため、遊技者は着色された透光性樹脂板１２６を透かして遊技領域５３を見ることになるから、例えば遊技盤５０のセル画と透光性樹脂板１２６の色との相互作用で装飾効果を高めることができる。
【００７１】
また、透光性樹脂板１２６の遊技者側の表面には、メラミン樹脂の耐擦傷性のコーティングが施されている。このため、遊技者のいたずら等で透光性樹脂板１２６が傷付けられる心配はない。なお、耐擦傷性のコーティングはきわめて薄い膜状であり、透光性樹脂板１２６の透過率には影響しない。
【００７２】
この窓扉１１５では、透光性樹脂板１２６が窓扉１１５の一体不可分の一部になっているので、透光性樹脂板１２６を窓扉１１５に装着するためのガラスレールのような構造は必要なく、その分部品点数が減り、構成も単純化され、組み立て工程も単純化できる。
【００７３】
周縁部１２３と透光性樹脂板１２６とが一連であるので、窓１２２と透光性樹脂板１２６との間に隙間が無く、薄板や針金等を差し込んでの不正行為を確実に防止できる。
板状構造体１２７が合成樹脂製であるから透光性樹脂板１２６（窓１２２）の外周形状を自在にできる。よってデザイン性はきわめて優れている。
【００７４】
しかも、板状構造体１２７は射出成形などの成形方法で製造できるから、きわめて簡単にさまざまな形状に成形でき、そのコストも低い。
透光性樹脂板１２６も含んだ板状構造体１２７は合成樹脂製であるから、板状構造体１２７としての重量もあまり大きくはならず取り扱いは容易である。
【００７５】
また、板状構造体１２７は、従来は単に開口されていた窓１２２部分が周縁部１２３と一連の透光性樹脂板１２６にて閉じられた板状の部材であるから、従来の窓穴を有する構造と比べれば剛性がきわめて高く強度的にも優れている。
したがって、板状構造体１２７にパチンコ遊技機の本体に軸支するためのヒンジ１１６ａ、１１６ｂのヒンジ軸又はヒンジ軸受を設けて、また錠機構１３３にて閉鎖状態にてロックするための金具等も取り付けて、板状構造体１２７をそのままで窓扉１１５にできる（板状構造体１２７の外形寸法と窓扉１１５の外形寸法とは、ほぼ一致している）。
【００７６】
盤側透明板をガラス板１２９にしているので、遊技領域５３を流下する遊技球の衝突圧などによってたわむおそれがなく、たわんだ際に遊技球がガラス板１２９と釘との間に噛み込んで落下できなくなるような不具合が発生するおそれがない。
【００７７】
また、ガラス板１２９は遊技球との接触によって傷つくおそれはないし、遊技球との接触に伴って静電気が発生したり蓄積されにくいから、静電気によって吸着されたほこり等で汚れる心配もない。
しかも、ガラス板１２９を接着することで、透光性樹脂板１２６とガラス板１２９とで挟まれた内部空間１３４を密封状態にしているので、この内部空間１３４にほこりやたばこの煙等が入り込んで内面を汚すのを確実に防止できる。
【００７８】
ガラス板１２９を窓扉１１５に接着する構造にしているので、例えばガラスレールやボルト等の連結用の部材が不要になり、構造がより単純化される。そうした連結用の穴や爪等を設ける必要がないから、窓扉１１５の構造が複雑化しないし、穴等を設けることで強度が低下するのも回避できる。
［２層構造にした例］
図５（ｂ）は窓扉１１５を前後２層構造にした例である。
【００７９】
図５（ａ）に示した単層構造であると射出成形を行いにくい場合がある。そのような場合は複層構造とすればよい。また、図５（ａ）の例は窓扉１１５としての強度は十分であるが、かりに板状構造体だけでは強度不足になりそうな場合には板状構造体に背後部材を接合して（複層構造を採用して）強度を高めればよい。
【００８０】
図５（ｂ）に示すように、この窓扉１１５においては、板状構造体１２７の背後に強度部材１２７ａ（背後部材に該当）を接着した２層構造を採用している。板状構造体１２７は図５（ａ）の場合と同様にインモールドの射出成形で製造されている。強度部材１２７ａは通常の射出成形で製造されている。強度部材１２７ａの材質は板状構造体１２７と同じでもよいし、板状構造体１２７とは異ならせてもよい。例えば板状構造体１２７よりも低価格の合成樹脂を使用すれば低コストになる。また、強度部材１２７ａは板状構造体１２７（周縁部１２３）の背後に隠れるので、いわゆる再生プラスチックを使用することもできる。この場合は資源のリサイクル面で優れている。
【００８１】
板状構造体１２７に強度部材１２７ａを接着した構造は、図５（ａ）に示した板状構造体１２７と同様であり、図５（ａ）で説明した窓扉１１５と同様の効果を有する。
また、前後２部分に分けているので金型の構造を単純化でき射出成形等を行い易く、強度部材１２７ａの原料樹脂に板状構造体１２７よりも低価格の合成樹脂を使用すれば低コストになる。或いは、板状構造体１２７だけでは強度不足となる場合でも、強度部材１２７ａによって窓扉１１５として十分な強度にできる。［立体形状の例］
透光性樹脂板１２６及び周縁部１２３は透明なプラスチックで一体成形されるので、透光性樹脂板１２６は、図６に例示するように中心部が遊技者側に膨らんだドーム状の曲面体にできる。このように遊技者側に凸のドーム状とした場合には、遊技者に立体感を感じさせ、透光性樹脂板１２６がレンズ的に作用するので遊技領域を広く感じさせる。
【００８２】
また、図示は省略するがその他の立体形状にもできるし、透光性樹脂板１２６（窓１２２）の外周形状も様々にできるから、パチンコ遊技機の枠体の多様なデザインと釣り合わせたさまざまなデザインが可能になる。
なお、図６の窓扉１１５は２層構造であるが、図５（ａ）に示した単層構造においてもドーム状等の立体形状にできることはいうまでもない。
【００８３】
【その他】
以上、実施例にしたがって本発明の実施の形態を説明したが、本発明はこの例に限定されるものではない。
例えば実施例１では図柄表示装置５５の表示部を３個の７セグメントＬＥＤで構成しているが、液晶ディスプレイ、ＣＲＴ、プラズマディスプレイ、ＥＬディスプレイ等の表示手段を採用してもよい。或いはドラムやベルトによる回転式の表示装置を用いてもよい。
【００８４】
また、実施例１では、透光性樹脂板４１の平面部４２にて覆われる領域にセンター役物５６（図柄表示装置５５）、普通入賞口６２、始動ゲート５７、始動入賞装置５８、大入賞装置６０及び普通入賞口６４、６５を配置しているが、少なくとも図柄表示装置５５が含まれる領域、望ましくは図柄表示装置５５、始動入賞装置５８及び大入賞口５９が含まれる領域（図柄表示装置を備えない機種にあっては大入賞口のみでもよい）が透光性樹脂板４１の平面部４２にて覆われればよく、重要度の低い普通入賞口５４、６２、６４、６５のいくつか又は全部が平面部４２にて覆われる領域の外に配されてもよい。
【００８５】
或いは、透光性樹脂板４１に傾斜面４３を設けずに全域を平面部４２としてもよい。
なお、始動入賞装置５８は、これに入賞すると開放される構成とすることができる。この場合、始動ゲート５７は必須ではなくなるがこれを設けてもよい。
【００８６】
また、実施例１、２とも透明な樹脂原料に顔料又は染料を添加したもので射出成形することで客側透明板を透光性に着色しているが、例えば成形後にコーティングしたり着色フィルムを貼着することで透光性に着色してもよい。
【図面の簡単な説明】
【図１】実施例のパチンコ機の正面図。
【図２】実施例のパチンコ機の窓枠体の説明図であり、（ａ）は正面図、（ｂ）は側面図、（ｃ）はＡＡ−ＡＡ断面図である。
【図３】実施例のパチンコ機の遊技盤の正面図。
【図４】実施例２のパチンコ遊技機の正面図。
【図５】実施例２の窓扉の図４におけるＡＡ−ＡＡ断面図であり、図５（ａ）は単層構造、図５（ｂ）は２層構造の例である。
【図６】樹脂板をドーム状にした窓扉の縦断面図。
【図７】盤側透明板又は客側透明板の着色域の例示図。
【符号の説明】
１０        パチンコ遊技機
１２        本体枠
１４        ヒンジ
１６        中枠
２２        窓枠体（窓扉）
２４        皿ユニット
４０        窓
４１        透光性樹脂板（客側透明板）
４６        ガラス板（盤側透明板）
５０        遊技盤
５３        遊技領域
１００    パチンコ遊技機
１１２    外枠
１１４    中枠
１１５    窓扉
１１６ａ、１１６ｂ            ヒンジ
１１７    上皿扉
１２２    窓
１２３    周縁部
１２６    透光性樹脂板（客側透明板）
１２７    板状構造体
１２７ａ                強度部材（背後部材）
１２９    ガラス板（盤側透明板）
１３４    内部空間
【図１】
2004230029.tif 000003
【図２】
2004230029.tif 000004
【図３】
2004230029.tif 000005
【図４】
2004230029.tif 000006
【図５】
2004230029.tif 000007
【図６】
2004230029.tif 000008
【図７】
2004230029.tif 000009